(57)【要約】      （修正有）【課題】装着された光ディスクが記録可能な光ディスクであるか否かを、短時間かつ確実に判定し得る光ディスクドライブ等を提供する。【解決手段】装着された光ディスクを所定の回転速度で回転させた状態で、光ディスクの半径方向の所定位置より、グルーブウォブルに対応した信号を再生し、このウォブル信号再生手段の出力信号より、記録可能な複数種類の光ディスクのグルーブウォブルの周波数に対応した複数の周波数成分を抽出する。そして、この複数のフィルタ手段の出力信号の周波数レベルを検出し、この検出信号を用いて装着された光ディスクが、第１の光ディスクであるか、第２の光ディスクであるか、あるいは第３の光ディスクであるかを判別する。【選択図】図５
2010153026.tif 000002
【特許請求の範囲】
【請求項１】
装着された光ディスクを所定の回転速度で回転させた状態で、上記光ディスクの半径方向の所定位置より、グルーブウォブルに対応した信号を再生するウォブル信号再生手段と、
上記ウォブル信号再生手段の出力信号より、記録可能な複数種類の光ディスクの上記グルーブウォブルの周波数に対応した複数の周波数成分を抽出する複数のフィルタ手段と、
上記複数のフィルタ手段の出力信号の周波数レベルを検出する検出手段と、
上記検出手段の検出信号を用いて上記装着された光ディスクの判別をするディスク判別手段と、を備え、
上記検出手段は、上記複数のフィルタ手段の出力信号がそれぞれ参照信号として供給される複数のＰＬＬ回路部の出力信号に基づいて、上記参照信号の周波数レベルを検出し、
上記検出手段で検出された上記参照信号の周波数レベルが、第１の範囲の周波数である場合には、上記ディスク判別手段は、上記装着された光ディスクを第１の光ディスクであると判別し、
上記検出手段で検出された上記参照信号の周波数レベルが、第２の範囲の周波数である場合には、上記ディスク判別手段は、上記装着された光ディスクを第２の光ディスクであると判別し、
上記検出手段で検出された上記参照信号の周波数レベルが、上記第１の範囲の周波数でもなく上記第２の範囲の周波数でもない場合には、上記ディスク判別手段は、上記装着された光ディスクを第３の光ディスクであると判別する、光ディスクドライブ。
【請求項２】
装着された光ディスクを所定の回転速度で回転させた状態で、上記光ディスクの半径方向の所定位置より、グルーブウォブルに対応した信号を再生する工程と、
上記再生された信号より、記録可能な複数種類の光ディスクの上記グルーブウォブルの周波数に対応した複数の周波数成分をそれぞれ抽出する工程と、
上記複数の周波数成分を抽出する工程において出力される周波数レベルを検出する工程と、
上記検出された周波数レベルを用いて、上記装着された光ディスクの判別を行う工程と、を含み、
上記検出された周波数レベルが、第１の範囲の周波数である場合には、上記装着された光ディスクが第１の光ディスクであると判別し、
上記検出された周波数レベルが、第２の範囲の周波数である場合には、上記装着された光ディスクが第２の光ディスクであると判別し、
上記検出された周波数レベルが、上記第１の範囲の周波数でもなく上記第２の範囲の周波数でもない場合には、上記装着された光ディスクが第３の光ディスクであると判別する、光ディスク判別方法。
【発明の詳細な説明】
【技術分野】
【０００１】
この発明は、例えばＤＶＤ−ＲＷ、ＤＶＤ＋ＲＷ、ＤＶＤ−ＲＯＭなどの光ディスクが装着される光ディスクドライブおよびそれにおけるディスク判定方法に関する。詳しくは、装着された光ディスクより再生されたグルーブウォブルに対応する信号より記録可能な複数種類の光ディスクのグルーブウォブルの周波数に対応した複数の周波数成分をそれぞれ抽出し、抽出された複数の周波数成分に基づいて、装着された光ディスクが記録可能な光ディスクであるか否かの判定を行うことによって、装着された光ディスクが記録可能な光ディスクであるか否かを、短時間かつ確実に判定し得るようにした光ディスクドライブ等に係るものである。
【背景技術】
【０００２】
ＤＶＤ系の光ディスクとして、ＤＶＤ−ＲＷディスク、ＤＶＤ＋ＲＷディスク等の記録可能な光ディスクがあると共に、ＤＶＤ−ＲＯＭディスク等の再生専用の光ディスクがある。これらのＤＶＤ系の光ディスクは、直径が１２ｃｍであって外形が同一とされている。また、ＤＶＤ系の光ディスクドライブとして、記録再生を行う光ディスク記録再生装置や再生のみを行う光ディスク再生装置がある。
【０００３】
また、一台の記録／再生装置にて、ＣＤ、ＣＤ−Ｒ、ＤＶＤ、ＤＶＤ−Ｒの４種類の光ディスクの判別を行うことができるディスク判別装置も提案されている（例えば特許文献１参照）。この特許文献１に記載のディスク判別装置は、古い世代の光ディスクではあるが、２つの比較回路を備え、ＣＤ−Ｒの線速度で回転制御した場合、被判別ディスクがＣＤ−Ｒならば、２つの比較回路からの出力信号は共にＨレベル信号となるが、被判別ディスクがＤＶＤ−Ｒならば、一方の比較回路からはＨレベル信号、他方の比較回路からはＬレベル信号が出力されるようにしている。この２つの比較回路からの出力信号レベルのパターンによってディスクの判別を行っている。
【先行技術文献】
【特許文献】
【０００４】
【特許文献１】特開平０９−１９８７７９号公報
【発明の概要】
【発明が解決しようとする課題】
【０００５】
上述したようにＤＶＤ系の光ディスクは外形が同一であることから、上述したＤＶＤ系の光ディスク記録再生装置や光ディスク再生装置には特性等が異なる数種類の光ディスクが装着されることとなる。したがって、装置側では、装着された光ディスクの判定をし、その判定結果に基づいて装着された光ディスクを取り扱うことが必要となる。
【０００６】
例えば、複製禁止のディジタルビデオ信号が複製禁止を無視して記録された記録可能な光ディスクが装着された場合、その光ディスクが記録可能な光ディスクであると判定して、その光ディスクからは、記録されているディジタルビデオ信号の再生を行わないようにする。
【０００７】
そこで、この発明では、装着された光ディスクが記録可能な光ディスクであるか否かを、短時間かつ確実に判定し得る光ディスクドライブ等を提供することを目的とする。
【課題を解決するための手段】
【０００８】
上記課題を解決し、本発明の目的を達成するため、本発明の光ディスクドライブは、装着された光ディスクを所定の回転速度で回転させた状態で、光ディスクの半径方向の所定位置より、グルーブウォブルに対応した信号を再生するウォブル信号再生手段と、このウォブル信号再生手段の出力信号より、記録可能な複数種類の光ディスクのグルーブウォブルの周波数に対応した複数の周波数成分を抽出する複数のフィルタ手段と、複数のフィルタ手段の出力信号の周波数レベルを検出する検出手段と、この検出手段の検出信号を用いて装着された光ディスクの判別をするディスク判別手段と、を備えている。
【０００９】
そして、検出手段は、複数のフィルタ手段の出力信号がそれぞれ参照信号として供給される複数のＰＬＬ回路部の出力信号に基づいて、参照信号の周波数レベルを検出し、検出手段で検出された参照信号の周波数レベルが、第１の範囲の周波数である場合には、ディスク判別手段は、装着された光ディスクを第１の光ディスクであると判別する。また、検出手段で検出された参照信号の周波数レベルが、第２の範囲の周波数である場合には、ディスク判別手段は、装着された光ディスクを第２の光ディスクであると判別する。また、検出手段で検出された参照信号の周波数レベルが、第１の範囲の周波数でもなく第２の範囲の周波数でもない場合には、ディスク判別手段は、装着された光ディスクを第３の光ディスクであると判別する。
【００１０】
また、本発明の光ディスク判別方法は、装着された光ディスクを所定の回転速度で回転させた状態で、光ディスクの半径方向の所定位置より、グルーブウォブルに対応した信号を再生する工程と、この再生された信号より、記録可能な複数種類の光ディスクのグルーブウォブルの周波数に対応した複数の周波数成分をそれぞれ抽出する工程と、この複数の周波数成分を抽出する工程において出力される周波数レベルを検出する工程と、検出された周波数レベルを用いて、装着された光ディスクの判別を行う工程と、を含む。
【００１１】
そして、検出された周波数レベルが、第１の範囲の周波数である場合には、装着された光ディスクが第１の光ディスクであると判別し、検出された周波数レベルが、第２の範囲の周波数である場合には、装着された光ディスクが第２の光ディスクであると判別する。また、検出された周波数レベルが、第１の範囲の周波数でもなく第２の範囲の周波数でもない場合には、装着された光ディスクが第３の光ディスクであると判別する。
【００１２】
この発明においては、記録可能な複数種類の光ディスクおよび再生専用の光ディスクの装着が可能とされる。記録可能なある種類の光ディスクが装着される場合には、再生されたグルーブウォブルに対応した信号は、その光ディスクのグルーブウォブルの周波数に対応した周波数成分のレベルが大きなものとなる。
【００１３】
例えば、光ディスクを１３８９ｒｐｍで回転駆動し、この光ディスクの半径２４ｍｍの位置を再生して信号を得るものとすると、その信号は、ＤＶＤ−ＲＷディスクが装着されている場合には約１４０ｋＨｚの周波数成分のレベルが大きなものとなり、ＤＶＤ＋ＲＷディスクが装着されている場合には約８１０ｋＨｚの周波数成分のレベルが大きなものとなる。
【００１４】
このように再生されたグルーブウォブルに対応した信号より、記録可能な複数種類の光ディスクのグルーブウォブルの周波数に対応した複数の周波数成分がそれぞれ抽出される。例えば、記録可能な複数種類の光ディスクがＤＶＤ−ＲＷディスク、ＤＶＤ＋ＲＷディスクである場合には、約１４０ｋＨｚの周波数成分と、約８１０ｋＨｚの周波数成分が抽出される。
【００１５】
そして、これら抽出された複数の周波数成分に基づいて、装着された光ディスクが記録可能な光ディスクであるか否かが判定される。この場合、複数の周波数成分のいずれかのレベルが大きいときには、その周波数成分に対応した記録可能な光ディスクが装着されていることが分かる。また、複数の周波数成分のいずれのレベルも大きくないときは、記録可能な複数種類の光ディスクのいずれも装着されていないことが分かる。
【００１６】
このように、装着された光ディスクより再生されたグルーブウォブルに対応する信号より記録可能な複数種類の光ディスクのグルーブウォブルの周波数に対応した複数の周波数成分をそれぞれ抽出し、抽出された複数の周波数成分に基づいて、装着された光ディスクが記録可能な光ディスクであるか否かの判定を行うことにより、装着された光ディスクが記録可能な光ディスクであるか否かを短時間かつ確実に判定することが可能となる。
【発明の効果】
【００１７】
この発明によれば、装着された光ディスクより再生されたグルーブウォブルに対応する信号より記録可能な複数種類の光ディスクのグルーブウォブルの周波数に対応した複数の周波数成分をそれぞれ抽出し、抽出された複数の周波数成分に基づいて、装着された光ディスクが記録可能な光ディスクであるか否かの判定を行うものであり、装着された光ディスクが記録可能な光ディスクであるか否かを短時間かつ確実に判定できる。
【図面の簡単な説明】
【００１８】
【図１】光ディスクドライブの一部の構成を示すブロック図である。
【図２】プッシュプル信号の作成を説明するための図である。
【図３】ウォブル検出部の構成を示すブロック図である。
【図４】ＤＶＤ−ＲＷ，ＤＶＤ＋ＲＷ，ＤＶＤ−ＲＯＭの各ディスクの装着時におけるバンドパスフィルタの出力信号を示す図である。
【図５】ウォブル検出部の他の構成を示すブロック図である。
【発明を実施するための形態】
【００１９】
以下、図面を参照しながら、この発明の実施の形態について説明する。図１は、ＤＶＤ系の光ディスクの装着が可能な光ディスクドライブ１００の一部の構成を示している。
【００２０】
ドライブ１００は、装着された光ディスク１０１を回転駆動するためのスピンドルモータ１０２と、半導体レーザ、対物レンズ、フォトディテクタ等から構成される光ピックアップ１０３と、この光ピックアップ１０３を光ディスク１０１の半径方向（ラジアル方向）に移動させるための送りモータ１０４とを有している。この場合、光ピックアップ１０３を構成する半導体レーザからのレーザビームが光ディスク１０１の記録面に照射され、その反射光（戻り光）が光ピックアップ１０３を構成するフォトディテクタに照射される。
【００２１】
また、ドライブ１００は、ドライブ全体の動作を制御するコントローラ１０５と、サーボコントローラ１０６とを有している。コントローラ１０５には、液晶表示素子等で構成される表示部１０７および複数の操作キーが配された操作キー部１０８が接続されている。サーボコントローラ１０６は、光ピックアップ１０３におけるトラッキングやフォーカスを制御し、また送りモータ１０４の動作を制御する。さらに、サーボコントローラ１０６はスピンドルモータ１０２の回転を制御し、光ディスク１０１は、記録時や再生時には、ＣＬＶ(Constant LinearVelocity)で回転駆動される。
【００２２】
また、ドライブ１００は、光ピックアップ１０３を構成するフォトディテクタの出力信号を処理して再生ＲＦ信号ＳRF、フォーカスエラー信号ＳFE、トラッキングエラー信号ＳTEおよびプッシュプル信号ＳPPを作成するＲＦアンプ部１０９を有している。ここで、フォーカスエラー信号ＳFEは、アスティグマ法（非点収差法）によって作成される。また、トラッキングエラー信号ＳTEは、再生時にはＤＰＤ法（位相差法）によって作成され、記録時にはプッシュプル法によって作成される。
【００２３】
このようにＲＦアンプ部１０９で作成されるフォーカスエラー信号ＳFEおよびトラッキングエラー信号ＳTEはサーボコントローラ１０６に供給され、このサーボコントローラ１０６では、これらのエラー信号を用いて、上述したように光ピックアップ１０３におけるトラッキングやフォーカスを制御する。
【００２４】
ここで、光ピックアップ１０３を構成するフォトディテクタとして、図２に示すように、４分割フォトディテクタＰＤが用いられている。このフォトディテクタＰＤには、光ディスク１０１からの戻り光によるスポットＳＰが形成される。フォトディテクタＰＤを構成する４個のフォトダイオードＤａ〜Ｄｄの検出信号をＳａ〜Ｓｄとするとき、プッシュプル信号ＳPPは、以下の演算によって得られる。
【００２５】
すなわち、検出信号Ｓａ，Ｓｃが加算器１１１で加算されると共に、検出信号Ｓｂ，Ｓｄが加算器１１２で加算される。そして、減算器１１３で加算器１１１の出力信号より加算器１１２の出力信号が減算されて、プッシュプル信号ＳPPが得られる。
【００２６】
また、図１に戻って、ドライブ１００は、ＲＦアンプ部１０９で作成された再生ＲＦ信号の２値化スライス、その後のＰＬＬ(Phase-Locked Loop)による同期データの生成等、一連のアナログ信号処理を行うリードチャネル部１１５と、リードチャネル部１０８で生成された同期データ（８／１６変調データ）の復調、その後の誤り訂正等の処理を行う復調／ＥＣＣ部１０９とを有している。この復調／ＥＣＣ部１０９の出力データは、図示しない再生データ処理系に供給される。
【００２７】
また、ドライブ１００は、再生ＲＦ信号ＳRFよりリードチャネル部１１５で抽出されるアドレス情報をコントローラ１０５に転送したり、プッシュプル信号ＳPPを処理してアドレス情報を得て、このアドレス情報をコントローラ１０５に転送するアドレス処理部１１７を有している。
【００２８】
また、ドライブ１００は、ＲＦアンプ部１０９で作成されたプッシュプル信号ＳPPよりウォブル信号を検出するウォブル検出部１１８を有している。図３は、このウォブル検出部１１８の構成を示している。
【００２９】
ウォブル検出部１１８は、中心周波数ｆ１が１４０ｋＨｚであるバンドパスフィルタ１２１と、中心周波数ｆ２が８１０ｋＨｚであるバンドパスフィルタ１２２とを有している。
【００３０】
なお、光ディスク１０１がＤＶＤ−ＲＷディスクである場合、この光ディスク１０１を１３８９ｒｐｍで回転駆動した場合、光ディスク１０１の半径２４ｍｍの位置におけるグルーブウォブルの周波数は約１４０ｋＨｚとなる。したがって、この場合におけるプッシュプル信号ＳPPは、約１４０ｋＨｚの周波数成分のレベルが大きなものとなる。
【００３１】
また、光ディスク１０１がＤＶＤ＋ＲＷディスクである場合、この光ディスク１０１を１３８９ｒｐｍで回転駆動した場合、光ディスク１０１の半径２４ｍｍの位置におけるグルーブウォブルの周波数は約８１０ｋＨｚとなる。したがって、この場合におけるプッシュプル信号ＳPPは、約８１０ｋＨｚの周波数成分のレベルが大きなものとなる。
【００３２】
また、ウォブル検出部１１８は、バンドパスフィルタ１２１の出力信号ＳＦ１の振幅レベルを検出するレベル検出部１２３と、バンドパスフィルタ１２２の出力信号ＳＦ２の振幅レベルを検出するレベル検出部１２４とを有している。これらレベル検出部１２３，１２４は、例えば整流平滑回路で構成されている。
【００３３】
また、ウォブル検出部１１８は、レベル検出部１２３の出力信号を、コントローラ１０５より所定のタイミングで供給されるサンプルパルスＳＭＰでサンプリングし、そのサンプル値を検出レベルＬＶ１としてホールドするサンプルホールド回路１２５と、レベル検出部１２４の出力信号を、上述のサンプルパルスＳＭＰでサンプリングし、そのサンプル値を検出レベルＬＶ２としてホールドするサンプルホールド回路１２６とを有している。      
【００３４】
また、ウォブル検出部１１８は、サンプルホールド回路１２５でホールドされた検出レベルＬＶ１をディジタル信号に変換してコントローラ１０５に供給するＡ／Ｄコンバータ１２７と、サンプルホールド回路１２６でホールドされた検出レベルＬＶ２をディジタル信号に変換してコントローラ１０５に供給するＡ／Ｄコンバータ１２８とを有している。
【００３５】
図１に示す光ディスクドライブ１００におけるディスク判定動作について説明する。コントローラ１０５は、光ディスク１０１が装着される際に、この光ディスク１０１が、記録可能なディスク、すなわちＤＶＤ−ＲＷディスクまたはＤＶＤ＋ＲＷディスクであるか、あるいは再生専用のディスク、すなわちＤＶＤ−ＲＯＭディスクであるかを判定する。
【００３６】
この場合、コントローラ１０５は、サーボコントローラ１０６を制御し、光ピックアップ１０３を半径２４ｍｍの位置に移動させ、光ディスク１０１を１３８９ｒｐｍで回転駆動させ、光ピックアップ１０３で半導体レーザよりレーザビームを発光させ、さらにフォーカスやトラッキングのサーボを行わせる。この状態で、ＲＦアンプ部１０９で作成されるプッシュプル信号ＳPPはウォブル検出部１１８（図２参照）に供給される。ウォブル検出部１１８では、プッシュプル信号ＳPPが処理されて検出レベルＬＶ１，ＬＶ２が生成され、この検出レベルＬＶ１，ＬＶ２がコントローラ１０５に供給される。
【００３７】
すなわち、プッシュプル信号ＳPPより、バンドパスフィルタ１２１で、約１４０ｋＨｚの周波数成分が抽出される。そして、このフィルタ１２１の出力信号ＳＦ１の振幅レベルがレベル検出部１２３で検出され、さらにレベル検出部１２３の出力信号がサンプルホールド回路１２５でサンプリングされて検出レベルＬＶ１が得られる。そして、この検出レベルＬＶ１が、Ａ／Ｄコンバータ１２７でディジタル信号に変換されてコントローラ１０５に供給される。
【００３８】
同様に、プッシュプル信号ＳPPより、バンドパスフィルタ１２２で、約８１０ｋＨｚの周波数成分が抽出される。そして、このフィルタ１２２の出力信号ＳＦ２の振幅レベルがレベル検出部１２４で検出され、さらにそのレベル検出部１２４の出力信号がサンプルホールド回路１２６でサンプリングされて検出レベルＬＶ２が得られる。この検出レベルＬＶ２が、Ａ／Ｄコンバータ１２８でディジタル信号に変換されてコントローラ１０５に供給される。
【００３９】
コントローラ１０５では、検出レベルＬＶ１，ＬＶ２を用いて、装着された光ディスク１０１の判定が、以下のように行われる。すなわち、ＬＶ１＞ＬＶ２であって、ＬＶ１が規定レベル以上であるとき、装着された光ディスク１０１は、記録可能なディスクであるＤＶＤ−ＲＷディスクであると判定される。また、ＬＶ２＞ＬＶ１であって、ＬＶ２が規定レベル以上であるとき、装着された光ディスク１０１は、記録可能なディスクであるＤＶＤ＋ＲＷディスクであると判定される。さらに、ＬＶ１，ＬＶ２の双方が規定レベルより小さいとき、装着された光ディスク１０１は、再生専用のディスクであるＤＶＤ−ＲＯＭディスクであると判定される。このような判定結果は、コントローラ１０５の制御で、例えば表示部１０７に表示され、ユーザに報知される。
【００４０】
ここで、光ディスク１０１としてＤＶＤ−ＲＷディスクが装着される場合、プッシュプル信号ＳPPは約１４０ｋＨｚの周波数成分のレベルが大きなものとなるため、バンドパスフィルタ１２１の出力信号ＳＦ１およびバンドパスフィルタ１２２の出力信号ＳＦ２は、図４Ａに示すように得られる（例えばＳＦ１は１８０mVp-p、ＳＦ２は３０mVp-p）。したがって、この場合には、ＬＶ１＞ＬＶ２であって、ＬＶ１が規定レベル以上となるため（規定レベルは、例えば１００mVp-pに対応するレベル）、ＤＶＤ−ＲＷディスクが装着されていると判定されることとなる。
【００４１】
また、光ディスク１０１としてＤＶＤ＋ＲＷディスクが装着される場合、プッシュプル信号ＳPPは約８１０ｋＨｚの周波数成分のレベルが大きなものとなるため、バンドパスフィルタ１２１の出力信号ＳＦ１およびバンドパスフィルタ１２２の出力信号ＳＦ２は、図４Ｂに示すように得られる（例えばＳＦ１は３０mVp-p、ＳＦ２は２００mVp-p）。したがって、この場合には、ＬＶ２＞ＬＶ１であって、ＬＶ２が規定レベル以上となるため、ＤＶＤ＋ＲＷディスクが装着されていると判定されることとなる。
【００４２】
さらに、光ディスク１０１としてＤＶＤ−ＲＯＭディスクが装着される場合、プッシュプル信号ＳPPは約１４０ｋＨｚおよび約８１０ｋＨｚの周波数成分の双方のレベルが小さいものとなるため、バンドパスフィルタ１２１の出力信号ＳＦ１およびバンドパスフィルタ１２２の出力信号ＳＦ２は、図４Ｃに示すように得られる。したがって、この場合には、ＬＶ１，ＬＶ２の双方が規定レベルより小さくなるため、ＤＶＤ−ＲＯＭディスクが装着されていると判定されることとなる。
【００４３】
以上説明したように、本実施の形態においては、ウォブル検出部１１８で、バンドパスフィルタ１２１，１２２によって、プッシュプル信号ＳPPより、ＤＶＤ−ＲＷディスク，ＤＶＤ＋ＲＷディスクのグルーブウォブルの周波数成分がそれぞれ抽出される。そして、このウォブル検出部１１８よりコントローラ１０５に、抽出されたそれぞれの周波数成分の振幅レベルに対応した検出レベルＬＶ１，ＬＶ２が供給される。そして、コントローラ１０５では、この検出レベルＬＶ１，ＬＶ２に基づいて、装着された光ディスク１０１の判定が行われる。
【００４４】
したがって、本実施の形態においては、装着された光ディスク１０１がＤＶＤ−ＲＷディスクであるかの判定と、装着された光ディスク１０１がＤＶＤ＋ＲＷディスクであるかの判定とを並行して行うものであり、装着された光ディスク１０１が記録可能な光ディスク（ＤＶＤ−ＲＷディスク，ＤＶＤ＋ＲＷディスク）であるか否かを、短時間かつ確実に判定することができる。これにより、例えば、複製禁止のディジタルビデオ信号が複製禁止を無視して記録可能なディスクに記録されていても、そのことを即座に判断できるようになる。
【００４５】
また、本実施の形態においては、装着された光ディスク１０１が記録可能な光ディスクである場合、その種類を同時に知ることができる。これにより、誤って対応できない光ディスクに記録しようとしてしまう可能性を低減できる。
【００４６】
なお、上述実施の形態において、ウォブル検出部１１８は、図３に示すように構成されていたが、図５に示すように構成してもよい。この図５において、図３と対応する部分には同一符号を付し、その詳細説明は省略する。
【００４７】
このウォブル検出部１１８は、図３に示すウォブル検出部１１８と同様に、中心周波数ｆ１が１４０ｋＨｚであるバンドパスフィルタ１２１と、中心周波数ｆ２が８１０ｋＨｚであるバンドパスフィルタ１２２とを有している。
【００４８】
また、このウォブル検出部１１８は、バンドパスフィルタ１２１の出力信号ＳＦ１を２値化する２値化回路１３１と、バンドパスフィルタ１３１の出力信号ＳＦ２を２値化する２値化回路１３１と、２値化回路１３１からの２値化信号を参照信号として周波数信号ＦＯ１を生成し、この周波数信号ＦＯ１をコントローラ１０５に供給するＰＬＬ回路１３３と、２値化回路１３２からの２値化信号を参照信号として周波数信号ＦＯ２を生成し、この周波数信号ＦＯ２をコントローラ１０５に供給するＰＬＬ回路１３４とを有している。
【００４９】
装着された光ディスク１０１の判定動作を行う際に、ウォブル検出部１１８では、プッシュプル信号ＳPPが処理されて、周波数信号ＦＯ１，ＦＯ２が生成され、この周波数信号ＦＯ１，ＦＯ２がコントローラ１０５に供給される。
【００５０】
すなわち、プッシュプル信号ＳPPより、バンドパスフィルタ１２１で、約１４０ｋＨｚの周波数成分が抽出される。そして、このフィルタ１２１の出力信号ＳＦ１が２値化回路１３１で２値化され、この２値化回路１３１からの２値化信号がＰＬＬ回路１３３に参照信号として供給される。そして、このＰＬＬ回路１３３より出力される周波数信号ＦＯ１がコントローラ１０５に供給される。
【００５１】
この場合、バンドパスフィルタ１２１の出力信号ＳＦ１における約１４０ｋＨｚの周波数成分のレベルが大きいとき、ＰＬＬ回路１３３に供給される２値化信号は約１４０ｋＨｚの単一周波数を持つものとなり、周波数信号ＦＯ１として約１４０ｋＨｚの周波数信号が得られる。これに対して、バンドパスフィルタ１２１の出力信号ＳＦ１における約１４０ｋＨｚの周波数成分のレベルが小さいとき、ノイズ成分のためにＰＬＬ回路１３３に供給される２値化信号は約１４０ｋＨｚの単一周波数を持つものとはならず、周波数信号ＦＯ１として約１４０ｋＨｚの周波数信号は得られない。
【００５２】
同様に、プッシュプル信号ＳPPより、バンドパスフィルタ１２２で、約８１０ｋＨｚの周波数成分が抽出される。そして、このフィルタ１２２の出力信号ＳＦ１が２値化回路１３２で２値化され、この２値化回路１３２からの２値化信号がＰＬＬ回路１３４に参照信号として供給される。そして、このＰＬＬ回路１３４より出力される周波数信号ＦＯ２がコントローラ１０５に供給される。
【００５３】
この場合、バンドパスフィルタ１２２の出力信号ＳＦ１における約８１０ｋＨｚの周波数成分のレベルが大きいとき、ＰＬＬ回路１３４に供給される２値化信号は約８１０ｋＨｚの単一周波数を持つものとなり、周波数信号ＦＯ２として約８１０ｋＨｚの周波数信号が得られる。これに対して、バンドパスフィルタ１２２の出力信号ＳＦ２における約８１０ｋＨｚの周波数成分のレベルが小さいとき、ノイズ成分のためにＰＬＬ回路１３４に供給される２値化信号は約８１０ｋＨｚの単一周波数を持つものとはならず、周波数信号ＦＯ２として約８１０ｋＨｚの周波数信号は得られない。
【００５４】
コントローラ１０５では、周波数信号ＦＯ１，ＦＯ２を用いて、装着された光ディスク１０１の判定が、以下のように行われる。すなわち、周波数信号ＦＯ１が約１４０ｋＨｚの周波数信号であるとき、装着された光ディスク１０１は、記録可能なディスクであるＤＶＤ−ＲＷディスクであると判定される。また、周波数信号ＦＯ２が約８１０ｋＨｚの周波数信号であるとき、装着された光ディスク１０１は、記録可能なディスクであるＤＶＤ＋ＲＷディスクであると判定される。さらに、周波数信号ＦＯ１が約１４０ｋＨｚの周波数信号でもなく、周波数信号ＦＯ２が約８１０ｋＨｚの周波数信号でもないとき、装着された光ディスク１０１は、再生専用のディスクであるＤＶＤ−ＲＯＭディスクであると判定される。
【００５５】
コントローラ１０５では、周波数信号ＦＯ１，ＦＯ２の周波数の判断を、例えば水晶精度のクロックを使用し、周波数信号ＦＯ１，ＦＯ２の周期をカウントすることで行う。例えば、周波数信号ＦＯ２の周期を１００ＭＨｚのクロックでカウントしたとき、１１８〜１２９の範囲のカウントであれば、周波数信号ＦＯ２の周波数は７７５．２ｋＨｚ〜８４７．５ｋＨｚであり、８１０ｋＨｚの±５％以内にあることから、コントローラ１０５は周波数信号ＦＯ２の周波数が約８１０ｋＨｚであると判断する。±５％の幅を持たせるのは、光ディスク１０１における測定個所、回転数等の較差を考慮したものである。なお、詳細な数値は示さないが、周波数信号ＦＯ１の周波数を判断する際にも、同様に±５％の幅を持たせる。
【００５６】
ここで、光ディスク１０１としてＤＶＤ−ＲＷディスクが装着される場合、プッシュプル信号ＳPPは約１４０ｋＨｚの周波数成分のレベルが大きなものとなるため、バンドパスフィルタ１２１の出力信号ＳＦ１およびバンドパスフィルタ１２２の出力信号ＳＦ２は、図４Ａに示すように得られる。したがって、この場合には、周波数信号ＦＯ１が約１４０ｋＨｚの周波数信号となるため、ＤＶＤ−ＲＷディスクが装着されていると判定されることとなる。
【００５７】
また、光ディスク１０１としてＤＶＤ＋ＲＷディスクが装着される場合、プッシュプル信号ＳPPは約８１０ｋＨｚの周波数成分のレベルが大きなものとなるため、バンドパスフィルタ１２１の出力信号ＳＦ１およびバンドパスフィルタ１２２の出力信号ＳＦ２は、図４Ｂに示すように得られる。したがって、この場合には、周波数信号ＦＯ２が約８１０ｋＨｚの周波数信号となるため、ＤＶＤ＋ＲＷディスクが装着されていると判定されることとなる。
【００５８】
さらに、光ディスク１０１としてＤＶＤ−ＲＯＭディスクが装着される場合、プッシュプル信号ＳPPは約１４０ｋＨｚおよび約８１０ｋＨｚの周波数成分のレベルが小さいものとなるため、バンドパスフィルタ１２１の出力信号ＳＦ１およびバンドパスフィルタ１２２の出力信号ＳＦ２は、図４Ｃに示すように得られる。したがって、この場合には、周波数信号ＦＯ１が約１４０ｋＨｚの周波数信号とならず、また周波数信号ＦＯ２が約８１０ｋＨｚの周波数信号とならず、ＤＶＤ−ＲＯＭディスクが装着されていると判定されることとなる。
【００５９】
また、上述実施の形態においては、記録可能な２種類の光ディスク（ＤＶＤ−ＲＷ，ＤＶＤ＋ＲＷ）を並行して判定するものを示したが、同様にして、記録可能な複数種類の光ディスクを並行して判定することができる。ただしこの場合、複数種類の光ディスクは互いにグルーブウォブルの周波数が異なっている必要がある。
【００６０】
また、上述実施の形態においては、この発明を、ＤＶＤ系の光ディスクドライブ１００に適用したものであるが、この発明は、ＣＤ系の光ディスクドライブ等にも同様に適用できることは勿論である。
【符号の説明】
【００６１】
１００・・・光ディスクドライブ、１０１・・・光ディスク、１０３・・・光ピックアップ、１０５・・・コントローラ、１０６・・・サーボコントローラ、１０７・・・表示部、１０９・・・ＲＦアンプ部、１１５・・・リードチャネル部、１１６・・・復調／ＥＣＣ部、１１７・・・アドレス処理部、１１８・・・ウォブル検出部、１２１，１２２・・・バンドパスフィルタ、１２３，１２４・・・レベル検出部、１２５，１２６・・・サンプルホールド回路、１２７，１２８・・・Ａ／Ｄコンバータ、１３１，１３２・・・２値化回路、１３３，１３４・・・ＰＬＬ回路
【図１】
2010153026.tif 000003
【図２】
2010153026.tif 000004
【図３】
2010153026.tif 000005
【図４】
2010153026.tif 000006
【図５】
2010153026.tif 000007